【事件の表示】
　特願２００５−８２３８号「電気接続器」拒絶査定不服審判事件〔平成１８年７月２７日出願公開、特開２００６−１９６３７３号〕について、次のとおり審決する。
【結　論】
　本件審判の請求は、成り立たない。
【理　由】
１．手続の経緯 
　本願は、平成１７年１月１４日の出願であって、平成２３年３月２９日付けで拒絶査定がなされ（同年４月５日発送）、これに対し、同年７月４日に拒絶査定不服審判の請求がなされたものである。
　
２．本願発明
　本願の請求項１に係る発明（以下「本願発明」という。）は、平成２２年６月２８日付け手続補正書により補正された特許請求の範囲の請求項１に記載された次の事項により特定されるものである。
　
「電線が半田付けされる半田付用端子部及び蛍光灯のランプピンが電気的に接触される負荷用端子部を一体に備える接続端子を、器体に収納して構成された電気接続器であって、
　器体は、前面が開口した箱状のボディと、ボディの開口した前面に被着されるカバーと、カバーに前後方向に摺動自在に取り付けられる摺動体とで構成され、
　摺動体は、蛍光灯のランプピンが挿入されるピン挿入孔が形成された前壁部を有し、
　半田付用端子部は、平板状の端子板と、該端子板の一部を切り起こして形成される半田受片と、半田受片の切り起しによって端子板に形成される電線挿入孔とを備え、電線挿入孔から挿入された電線が、半田受片に当接した状態で半田付けされるものであって、
　半田受片は、前端部において端子板の他の部位に連結されていることを特徴とする電気接続器。」
　
３．引用例の記載事項
　原査定の拒絶の理由に引用され、本願の出願前に頒布された実願昭５６−１７９９４２号（実開昭５７−１３２３７８号）のマイクロフィルム（以下「引用例１」という。）には、図面とともに次の事項が記載されている。 
　
（１−ア）「
突合せ形けい光灯ソケツト
　
（１−イ）「この考案は，
けい光灯ソケツト（以下ソケツトという。）
　
（１−ウ）「第１図は従来の突合せ形ソケツトの一例を示す図で，
(1)
外かく
(3)
その正面壁
(4)
円いランプ受口
(7)
ランプ受口(4)を内側から塞ぐ受板
(8)
受板(7)にあけられた一対のランプピン差込孔
(14)
大略フ字形に曲げられ
接触片
穴(8)の裏側で受板(7)に当接する
(19)
大略フ字形に曲げられ
板バネ
接触片(14)を介して受板(7)をランプ受口(4)に押付けようとする
W
電線
接触片(14)の折り返し部にハンダ付けされる
　
（１−エ）第１図には、接触片(14)が
外かく(1)及び受板(7)に収納され
　
（１−オ）上記（１−ア）、（１−イ）より、上記（１−ウ）に記載された従来の突合せ形ソケツトも
突合せ形けい光灯ソケツト
　
　これらの記載事項、及び認定事項を総合し、本願発明の記載ぶりに則って整理すると、引用例１には、次の発明（以下「引用発明」という。）が記載されている。 
　 
「外かく(1)，その正面壁(3)，円いランプ受口(4)，ランプ受口(4)を内側から塞ぐ受板(7)，受板(7)にあけられた一対のランプピン差込孔(8)，外かく(1)及び受板(7)に収納され大略フ字形に曲げられランプピン差込孔(8)の裏側で受板(7)に当接する接触片(14)，大略フ字形に曲げられ接触片(14)を介して受板(7)をランプ受口(4)に押付けようとする板バネ(19)を備えた突合せ形けい光灯ソケツトであって、電線Wが接触片(14)の折り返し部にハンダ付けされる突合せ形けい光灯ソケツト。」
　 
　同じく原査定の拒絶の理由に引用され、本願の出願前に頒布された実願昭６０−１１４０１８号（実開昭６２−２３０６７号）のマイクロフィルム（以下「引用例２」という。）には、図面とともに次の事項が記載されている。
　 
（２−ア）「第１図(a)，(b)は、この考案にかかる端子金具の一実施例をあらわす。図にみるように、端子金具１は、先端の
結線部２
開口部２ａのあるふくらみ２ｂを備えている。
開口部２ａより導線１０を入れ、
はんだ
で導線を固定する
　
（２−イ）「以上にみるように、この実施例の端子金具は、結線部に傾斜のついたふくらみがあるので、導線の挿入が容易である。また、
導線がふくらみの傾斜面と接して、
　
（２−ウ）第１図には、端子金具１の
結線部２
平板状である
結線部２の一部からふくらみ２ｂが形成され
ふくらみ２ｂ
開口部２ａ以外の部位で結線部２と連結され
　
　これらの記載事項、及び認定事項を総合し、本願発明の記載ぶりに則って整理すると、引用例２には、
「開口部２ａのあるふくらみ２ｂを備えている結線部２であって、
　結線部２は平板状であり、結線部２の一部からふくらみ２ｂが形成され、ふくらみ２ｂは開口部２ａ以外の部位で結線部２と連結され、
　開口部２ａより導線１０を入れ、導線１０がふくらみ２ｂの傾斜面と接して、はんだで導線１０を固定する結線部２。」
が記載されているといえる（以下「引用例２に記載された技術事項」という。）。
　
４．対比 
　本願発明と引用発明とを対比すると、機能または構造等からみて、引用発明の「接触片(14)の折り返し部」は「電線Wが」「ハンダ付けされる」ので、本願発明の「電線が半田付けされる半田付用端子部」に相当し、以下同様に、「接触片(14)」の「ランプピン差込孔(8)の裏側で受板(7)に当接する」部位はランプピン差込孔(8)に差し込まれたけい光灯のランプピンに電気的に接触するものであるので、「蛍光灯のランプピンが電気的に接触される負荷用端子部」に、「外かく(1)及び受板(7)」は「器体」に、「突合せ形けい光灯ソケツト」は「電気接続器」に、「受板(7)」は板バネ(19)によってランプ受口(4)に押付けられており、けい光灯がランプ受口(4)に挿入されると板バネ(19)の付勢に抗して摺動する部材であるので、「前後方向に摺動自在に取り付けられる摺動体」に、「受板(7)」の前壁部はけい光灯のランプピンが挿入されるランプピン差込孔(8)が形成されているので、「蛍光灯のランプピンが挿入されるピン挿入孔が形成された前壁部」に、それぞれ相当する。
　また、引用発明の「接触片(14)」は「折り返し部」を備え「ランプピン差込孔(8)の裏側で受板(7)に当接」しており、「折り返し部」及び「ランプピン差込孔(8)の裏側で受板(7)に当接する」部位を一体に備えているといえるので、本願発明の「半田付用端子部及び」「負荷用端子部を一体に備える接続端子」に相当する。
　また、引用発明の「外かく(1)」と、本願発明の「前面が開口した箱状のボディと、ボディの開口した前面に被着されるカバー」とは、「外かく」の点で共通する。
　
　そこで、本願発明の用語を用いて表現すると、両者は次の点で一致する。 　
（一致点） 
「電線が半田付けされる半田付用端子部及び蛍光灯のランプピンが電気的に接触される負荷用端子部を一体に備える接続端子を、器体に収納して構成された電気接続器であって、
　器体は、外かくと、前後方向に摺動自在に取り付けられる摺動体とで構成され、
　摺動体は、蛍光灯のランプピンが挿入されるピン挿入孔が形成された前壁部を有した、
　電気接続器。」 
　 
　そして、両者は次の点で相違する。
 　
（相違点１）
　本願発明では、器体が、前面が開口した箱状のボディと、ボディの開口した前面に被着されるカバーと、カバーに前後方向に摺動自在に取り付けられる摺動体とで構成されているのに対して、引用発明では、器体が外かく(1)及び受板(7)で構成されている点。
　
（相違点２）
　本願発明では、半田付用端子部が、平板状の端子板と、該端子板の一部を切り起こして形成される半田受片と、半田受片の切り起しによって端子板に形成される電線挿入孔とを備え、電線挿入孔から挿入された電線が、半田受片に当接した状態で半田付けされるものであって、半田受片は、前端部において端子板の他の部位に連結されているのに対して、引用発明では、接触片(14)の折り返し部の形状が明らかでない点。
　
５．相違点の判断
（相違点１について）
　突合せ形けい光灯ソケツトにおいて、器体が、前面が開口した箱状のボディと、ボディの開口した前面に被着されるカバーと、カバーに前後方向に摺動自在に取り付けられる摺動体とで構成されているものは、例えば実願昭６２−８０４６１号（実開昭６３−１８７２８９号）のマイクロフィルム（ケース１０，１２及びプランジャ１６参照）、特開平４−１６９０８５号公報（ボディ５、カバー６及び栓受体７参照）及び特開平６−２５１８４１号公報（ケース体１１、蓋体１５及び作動板１６参照）に記載されているように周知である。
　したがって、引用発明において、器体を、前面が開口した箱状のボディと、ボディの開口した前面に被着されるカバーと、カバーに前後方向に摺動自在に取り付けられる摺動体とで構成するようにすることは、当業者が容易になし得たものである。
　
（相違点２について）
　本願発明と引用例２に記載された技術事項とを対比すると、機能または構造等からみて、引用例２に記載された技術事項の「はんだで導線１０を固定する結線部２」は、本願発明の「電線が半田付けされる半田付用端子部」に相当する。
　また、引用例２に記載された技術事項の「結線部２」は平板状であるので、本願発明における「平板状の端子板」にも相当する。
　また、引用例２に記載された技術事項の「結線部２の一部から」「形成され」ている「ふくらみ２ｂ」は、導線１０がふくらみ２ｂの傾斜面と接してはんだで固定されているので、本願発明の「端子板の一部」から「形成される半田受片」に相当し、引用例２に記載された技術事項の「ふくらみ２ｂは開口部２ａ以外の部位で結線部２と連結され」ていることは、本願発明の「半田受片は」「端子板の他の部位に連結されている」ことに相当する。
　また、引用例２に記載された技術事項の「開口部２ａ」はふくらみ２ｂによって結線部２に形成されているといえるので、本願発明の「半田受片」「によって端子板に形成される電線挿入孔」に相当する。
　また、引用例２に記載された技術事項の「開口部２ａより導線１０を入れ、導線１０がふくらみ２ｂの傾斜面と接して、はんだで導線１０を固定する」ことは、本願発明の「電線挿入孔から挿入された電線が、半田受片に当接した状態で半田付けされる」ことに相当する。
　
　したがって、引用例２に記載された技術事項は、
「電線が半田付けされる半田付用端子部であって、
　半田付用端子部は、平板状の端子板と、該端子板の一部から形成される半田受片と、半田受片によって端子板に形成される電線挿入孔とを備え、電線挿入孔から挿入された電線が、半田受片に当接した状態で半田付けされるものであって、
　半田受片は、端子板の他の部位に連結されている半田付用端子部。」
と言い換えることができる。
　
　引用発明と引用例２に記載された技術事項は、電線が半田付けされる半田付用端子部を有する点で共通している。
　ところで、傾斜面が形成された端子部に導線を半田付けする際、傾斜面をどのような手段で形成するかは当業者が適宜選択し得る事項であり、且つ、半田付けのための傾斜面を切り起こしで形成することは、例えば実願昭５０−１０６２２４号（実開昭５２−１９６８０号）のマイクロフィルム（舌片２参照）、実願昭６０−４０３３１号（実開昭６１−１５７２７１号）のマイクロフィルム（切り起し片１６参照）及び実願昭６３−１３６３１号（実開平１−１１９１６５号）のマイクロフィルム（切起し片１０、１０参照）に記載されているように周知である。
　また、半田付用端子部の端子板と半田受片をどの位置で連結させるかは、電線の挿入方向に依存する（電線を前方から挿入する場合、半田受片は前端部で端子板と連結するのが適しており、電線を後方から挿入する場合、半田受片は後端部で端子板と連結するのが適している）ので、半田付用端子部の端子板と半田受片をどの位置で連結させるかは電線の挿入方向に応じて適宜選択し得る設計的な事項であり、半田受片を前端部で端子板と連結することは当業者にとって格別なことではない。
　したがって、引用発明において、半田付用端子部を、平板状の端子板と、該端子板の一部を切り起こして形成される半田受片と、半田受片の切り起しによって端子板に形成される電線挿入孔とを備えたものとし、電線挿入孔から挿入された電線を、半田受片に当接した状態で半田付けさせ、半田受片を、前端部において端子板の他の部位に連結させるようにすることは、引用例２に記載された技術事項及び周知の事項に基づいて、当業者が容易になし得たものである。
　
　そして、本願発明による効果も、引用発明、引用例２に記載された技術事項及び周知の事項から当業者が予測し得た程度のものであって、格別のものとはいえない。 
　 
６．むすび 
　以上のとおり、本願発明は、引用発明、引用例２に記載された技術事項及び周知の事項に基づいて、当業者が容易に発明をすることができたものであるから、特許法第２９条第２項の規定により、特許を受けることができない。
　 
　したがって、本願は、他の請求項について検討するまでもなく、拒絶すべきものである。
 　
　よって、結論のとおり審決する。